(57)【要約】【課題】ユニットスイング式のエンジンユニットを備えた自動二輪車において、後部の泥除け性能の向上と車両後部のコンパクト化とを両立させる。【解決手段】この自動二輪車は、ユニットスイング式のエンジンユニットを備えている。また、左側及び右側のサイドカバー３２ａ，３２ｂは、下縁が後上がりに形成されている。収納ボックス３５は、シート３とエンジンユニット２との間で両サイドカバー３２ａ，３２ｂの間に配置され、側面視で下面がサイドカバー３２ａ，３２ｂより上方に配置されている。ライセンスプレートブラケット４４はテールライトユニット４０よりも下方に位置するように車体フレームに支持され、リヤフェンダー４８は、エンジン本体１６の近傍から後方に延び、後端がライセンスプレートブラケット４４の下端よりも下方に位置し、後輪６の少なくとも上方を覆っている。【選択図】図２
2010215216.tif 000002
【特許請求の範囲】
【請求項１】
車両の前後方向に延びる車体フレームと、
エンジン本体と、前記エンジン本体から後方に延び後輪に動力を伝達する変速機ユニットと、を有し、前記車体フレームに揺動可能に支持されたエンジンユニットと、
前記エンジンユニットの上方に設けられたシートと、
前記シートと前記エンジンユニットとの間の空間の車幅方向の左側及び右側を区画し、下縁が車両前方より後方が高くなるように後上がりに形成された左側及び右側のサイドカバーと、
前記シートと前記エンジンユニットとの間で前記左側及び右側のサイドカバーの間に配置され、側面視で下面が前記サイドカバーより上方に配置された収納ボックスと、
前記左側サイドカバーの後端部と前記右側サイドカバーの後端部との間に配置されたテールライトユニットと、
前記テールライトユニットよりも下方に位置するように前記車体フレームに支持されたライセンスプレートブラケットと、
前記エンジン本体の近傍から後方に延び、後端が前記ライセンスプレートブラケットの下端よりも下方に位置し、前記後輪の少なくとも上方を覆うリヤフェンダーと、
を備えた自動二輪車。
【請求項２】
前記ライセンスプレートブラケットは、車両上下方向の長さが車両前後方向の長さよりも短い、請求項１に記載の自動二輪車。
【請求項３】
前記ライセンスプレートブラケットは、ライセンスプレートが前記ライセンスプレートブラケットに支持されたときに前記ライセンスプレートブラケットの後部の下端が前記ライセンスプレートの下端よりも上方に位置するように形成されている、請求項１に記載の自動二輪車。
【請求項４】
前記リヤフェンダーの下端は、前記後輪の中心よりも下方に位置している、請求項１に記載の自動二輪車。
【請求項５】
前記リヤフェンダーは、前記後輪の上方及び左右両方向の一部を覆うフェンダー本体と、前記ライセンスプレートブラケットの下端よりも下方において前記フェンダー本体の下側から後方斜め下向きに突出した突出部と、を有している、請求項１に記載の自動二輪車。
【請求項６】
前記収納ボックスの後壁は、前記テールライトユニットの前方に配置され、前記収納ボックスの後壁と前記テールライトユニットとが離間して配置されている、請求項１に記載の自動二輪車。
【請求項７】
前記ライセンスプレートブラケットは、前記テールライトユニットの下方で下方向に延びる縦壁部と、前記縦壁部の下端から斜め後方に延びる傾斜部とを有し、
前記縦壁部に配置されたフラッシャーライトをさらに有し、
前記フラッシャーライトの上下方向の幅より前記縦壁部の上下方向の幅が小さい、
請求項１に記載の自動二輪車。
【発明の詳細な説明】
【技術分野】
【０００１】
本発明は、自動二輪車、特に車体後部にライセンスプレートブラケットを有するとともに、後輪の上方を覆うリヤフェンダーを有する自動二輪車に関する。
【背景技術】
【０００２】
スクータ型車両等の自動二輪車において、エンジンユニットが車体フレームに揺動可能に支持されるとともに、車体の後部にライセンスプレートブラケットが設けられたものが知られている。例えば下記特許文献１に示された自動二輪車では、ライセンスプレートブラケットが車体の後部から後方斜め下向きに延びて設けられ、さらに後輪の上方を覆うリヤフェンダーが設けられている。
【０００３】
以上のような自動二輪車のライセンスプレートブラケットは、ライセンスプレートを支持する機能と、後輪から巻き上げられる水や泥などが乗員にかからないようにする機能、すなわちいわゆる泥除け機能とを有している。そして、自動二輪車においては、特に泥除け機能が重視されるために、ライセンスプレートブラケットを大型化することが望ましいと考えられている。具体的には、ライセンスプレートブラケットの上下方向の長さは長い方が好ましく、また、ライセンスプレートブラケットの車両幅方向の長さも長い方が好ましいと考えられている。
【特許文献１】台湾特許第２４２５１５号公報
【発明の概要】
【発明が解決しようとする課題】
【０００４】
前述のように、泥除けのためにはライセンスプレートブラケットは大きい方が好ましいが、ライセンスプレートブラケットが大きいと、自動二輪車の後部が全体的に大型化してしまう。ここで、車体フレームに揺動可能に支持されたエンジンユニット（以下、ユニットスイング式のエンジンユニットという）を備えた自動二輪車では、リヤフェンダーは後輪と共に揺動する。そのため、後輪及びリヤフェンダーとライセンスプレートブラケットとの間には、それらが接触しないように、ある程度大きな空間が必要となる。したがって、ライセンスプレートブラケットを、後輪及びリヤフェンダーから避けて十分後方に配置する必要がある。このようにライセンスプレートブラケットを十分後方に配置すると、後輪から離れた位置で泥除け機能を確保するために、ライセンスプレートブラケットをさらに上下方向に大きくしなければならない。
【０００５】
以上から明らかなように、特にユニットスイング式のエンジンユニットを有する自動二輪車では、泥よけのためにライセンスプレートブラケットを大きくする必要があるが、ライセンスプレートブラケットが大きいと、自動二輪車の後部が大型化してしまう。
【０００６】
一方、車両後部のコンパクト化のために、ライセンスプレートブラケットを単に小型化しただけでは、十分な泥除け機能を発揮することが難しい。
【０００７】
以上のように、ユニットスイング式のエンジンユニットを備えた自動二輪車において、泥除け性能を向上させることと車両後部のコンパクト化とを両立することは困難である。
【０００８】
本発明は、かかる点に鑑みてなされたものであり、その目的とするところは、ユニットスイング式のエンジンユニットを備えた自動二輪車において、後部の泥除け性能の向上と車両後部のコンパクト化とを両立させることにある。
【課題を解決するための手段】
【０００９】
本発明に係る自動二輪車は、車両の前後方向に延びる車体フレームと、エンジンユニットと、シートと、左側及び右側のサイドカバーと、収納ボックスと、テールライトユニットと、ライセンスプレートブラケットと、リヤフェンダーと、を備えている。エンジンユニットは、エンジン本体と、エンジン本体から後方に延び後輪に動力を伝達する変速機ユニットと、を有し、車体フレームに揺動可能に支持されている。シートはエンジンユニットの上方に設けられている。左側及び右側のサイドカバーは、シートとエンジンユニットとの間の空間の車幅方向の左側及び右側を区画し、下縁が車両前方より後方が高くなるように後上がりに形成されている。収納ボックスは、シートとエンジンユニットとの間で左側及び右側のサイドカバーの間に配置され、側面視で下面がサイドカバーより上方に配置されている。テールライトユニットは左側サイドカバーの後端部と右側サイドカバーの後端部との間に配置されている。ライセンスプレートブラケットはテールライトユニットよりも下方に位置するように車体フレームに支持されている。リヤフェンダーは、エンジン本体の近傍から後方に延び、後端がライセンスプレートブラケットの下端よりも下方に位置し、後輪の少なくとも上方を覆っている。
【００１０】
この自動二輪車では、まず、左右のサイドカバーの下縁が車両前方より後方が高くなるように後上がりに形成されているので、車両後部に重量感が少なく、外観的にコンパクト感を与えている。また、収納ボックスは側面視で下面がサイドカバーよりも上方に配置されているので、車両後部が実質的にもコンパクトになっている。
【００１１】
一方で、リヤフェンダーの後端がライセンスプレートブラケットの下端よりも下方に位置し、後輪を覆っているので、このリヤフェンダーによって、後輪からの泥等のはね上げがライダーの背中にかかるのを有効に抑えることができる。このため、ライセンスプレートブラケットを従来に比較して小さくすることができる。
【００１２】
以上のように、車両後部を外観的にかつ実質的にコンパクト化した上で、さらに車両の最後部に配置されたライセンスプレートブラケットを従来に比較して小さくすることができるので、これらが相互に関連しあって車両全体としてよりいっそうの小型化が可能となる。
【発明の効果】
【００１３】
以上のように本発明によれば、リヤフェンダーによって泥除け性能の向上を図ることができるとともに、車両後部のコンパクト化を実現できる。
【図面の簡単な説明】
【００１４】
【図１】本発明の一実施形態が採用されたスクータ型自動二輪車の側面図。
【図２】前記自動二輪車の後部詳細を示す一方側の側面図。
【図３】車両後部の断面部分図。
【図４】ライセンスプレートブラケットとフラッシャーライトの関係を示すための車両を後方から見た図。
【図５】リヤフェンダーの一方側の側面図。
【図６】リヤフェンダーの他方側の側面図。
【発明を実施するための最良の形態】
【００１５】
図１に本発明の一実施形態によるスクータ型自動二輪車を示す。この自動二輪車は主に、車両の前後方向に延びる車体フレーム１と、エンジンユニット２と、シート３と、ハンドル４と、前輪５及び後輪６と、カバー部材７と、を備えている。
【００１６】
車体フレーム１は、ヘッドパイプ１０と、前部フレーム１１と、左右の後部フレーム１２（図１では左の後部フレームのみ表れている）と、を有している。ヘッドパイプ１０には、ステアリングシャフトが回転自在に挿入されており、ステアリングシャフトの下端にフロントフォーク１５が取り付けられ、上端部にハンドル４が固定されている。そして、フロントフォーク１５の先端に前輪５が回転自在に装着されている。前部フレーム１１は、上端部である前端部がヘッドパイプ１０に接続され、側面視で後方かつ下方に延びている。左右の後部フレーム１２は、前端部が前部フレーム１１の下部に接続されている。この左右の後部フレーム１２は、後述するフットボードの下方に配置され後方へ延びる部分と、シート３の下方に配置され後方かつ上方に延びる部分とを有する。
【００１７】
エンジンユニット２は、左右の後部フレーム１２に揺動自在に支持されており、エンジン本体１６と、エンジン本体１６からの動力を後輪６に伝達する変速機ユニットとしてのベルト式無段変速機１７と、を有している。なお、このエンジンユニット２は遠心クラッチ機構等も有している。エンジン本体１６は後輪６とともに車両左右方向の中心に位置するように配置されている。また、エンジン本体１６の側方（平面視左側）にベルト式無段変速機１７が配置されている。そして、前述のように、これらのエンジン本体１６、ベルト式無段変速機１７及び後輪６が、後述するリヤフェンダー４８とともに左右の後部フレーム１２に揺動可能となっている。
【００１８】
ベルト式無段変速機１７は、埃や泥の異物が付着するのを防止するために、伝動ケースの内部に収納されている。ベルト式無段変速機１７は、詳細は省略するが、駆動プーリと、従動プーリと、これらの間に掛け渡された無端状のベルトと、を有している。
【００１９】
シート３は、エンジンユニット２の上方に配置されており、運転者用シート部分３ａと、その後部に形成されたタンデムシート部分３ｂと、が一体で形成されている。シート３の前部は後述する収納ボックスにヒンジ（図示せず）を介して回動自在に装着されており、シート３は、このヒンジを支点として、上下方向に開閉自在となっている。なお、シート３の後方にはタンデムグリップ２４が設けられ、このタンデムグリップ２４は後部フレーム１２に固定されている。
【００２０】
また、シート３の前方にはスペースが形成され、このスペースの下方に、運転者が両足を揃えて載せることができるフットボード２５が形成されている。フットボード２５の下方には燃料タンク２６が配置されている。
【００２１】
車体カバー７は、樹脂製の部材であり、車体フレーム１及びハンドル４を覆っている。車体カバー７は、前述のフットボード２５を含み、フロントカバー２８、ハンドルカバー２９、インナーフェンダー３０、レッグシールド３１、後部カバー３３及び左右のサイドカバー３２ａ，３２ｂ（図１では左のサイドカバー３２ａのみが表れている）などを有している。
【００２２】
フロントカバー２８にはヘッドライトやフラッシャーが設けられている。ハンドルカバー２９の上面にはメータパネルが配置されている。インナーフェンダー３０は、フロントカバー２８の下方に配置されて前輪５の後方を覆っている。レッグシールド３１は前部フレーム１２の後方を覆っている。後部カバー３３は、フートボード２５とシート３との間に位置し、左右のサイドカバー３２ａ，３２ｂとともにシート３の下方の空間を区画している。左右のサイドカバー３２ａ，３２ｂは、フットボード２５の後方から上方に立ち上がり、シート３の前部下方及び左右下方を覆うように配置されている。より具体的には、左右のサイドカバー３２ａ，３２ｂは、シート３とエンジンユニット２との間の空間の車両幅方向の左側及び右側を区画し、さらにその下縁が車両前方より後方が高くなるように後上がりに形成されている。
【００２３】
図２及び図３に示すように、シート３の下方には、ヘルメット等の物品を収納可能な収納ボックス３５が形成されている。また、車両の後端部には、ライトバルブ３６、ライトバルブ３６を保持する保持部３７及び反射鏡３８等を有するテールライトユニット４０が配置されている。このテールライトユニット４０は、左側サイドカバー３２ａの後部と右側サイドカバー３２ｂの後部との間に配置されている。
【００２４】
ここで、収納ボックス３５は、車両上下方向ではシート３とエンジンユニット２との間に配置される。また、収納ボックス３５は車両左右方向では左側及び右側のサイドカバー３２ａ，３２ｂの間に配置される。そして、側面視で収納ボックス３５の下面３５ａが左右のサイドカバー３２ａ，３２ｂの下縁３２０ａ，３２０ｂ（図２参照）より上方に位置している。すなわち、収納ボックス３５は側面視で左右のサイドボックス３２ａ，３２ｂで隠れるように配置されている。また、収納ボックス３５の上部は、シート３によって覆われており、このシート３の開閉をロックするためのロック機構４１（図３参照）がシート３の後部下方に設けられている。なお、収納ボックス３５の後壁３５ｂは、テールライトユニット４０の前方に配置され、収納ボックス３５の後壁３５ｂとテールライトユニット４０とが離間して配置されている。そして、ロック機構４１とテールライトユニット４０との間の空間の下方には、メンテナンス用カバー４３が配置されている。
【００２５】
また、テールライトユニット４０の下方には、ライセンスプレート４２を装着するためのライセンスプレートブラケット４４が設けられている。なお、図３では、ライセンスプレートを取り外して示している。このライセンスプレートブラケット４４は車体フレーム１に支持されている。ライセンスプレートブラケット４４は、図３に拡大して示すように、縦壁部４４ａと、傾斜部４４ｂと、左右の横壁部４４ｃと、を有している。縦壁部４４ａはテールライトユニット４０の下方でテールライトユニット４０から連続して下方向に延びている。また、縦壁部４４ａの上部は前方に向かって延びるとともに一旦下方に折り曲げられ、さらにそこから前方に延びる前方延長部４４ｄを有している。前方延長部４４ｄはメンテナンス用カバー４３の下面に沿って前方に延びており、その先端はメンテナンス用カバー４３に形成された溝に差し込まれて固定されている。傾斜部４４ｂは縦壁部４４ａの下端から斜め後方に延びている。左右の横壁部４４ｃは、それぞれ同じ形状であり、縦壁部４４ａの車両幅方向の端部から前方に延びて設けられている。そして、このライセンスプレートブラケット４４は、図３に示すように、車両上下方向の長さＨ（縦壁部４４ａの上端から傾斜部４４ｂの下端までの長さ）が車両前後方向の長さＬ（横壁部４４ｃの前端から傾斜部４４ｂの後端までの長さ）よりも短く形成されている。
【００２６】
さらに、このライセンスプレートブラケット４４は、ライセンスプレート４２がライセンスプレートブラケット４４に支持されたときに、ライセンスプレートブラケット４４の後部の下端（傾斜部４４ｂの下端）がライセンスプレート４２の下端よりも上方に位置するように形成されている。また、図４の後方から視た図で示すように、ライセンスプレートブラケット４４の縦壁部４４ａには左右のフラッシャーライト４５ａ，４５ｂが設けられており、縦壁部４４ａの上下方向の長さｈ１はフラッシャーライト４５ａ，４５ｂの上下方向の長さｈ２より小さくなっている。
【００２７】
また、収納ボックス３５の下方には、図１及び図２から明らかなように、後輪６の上方を覆うリヤフェンダー４８が設けられている。このリヤフェンダー４８は、フェンダー本体４９と、突出部５０と、を有している。フェンダー本体４９は、エンジン本体１６の近傍から後方に延び、後輪６の上方及び左右両方向の一部を覆うとともに、後端がライセンスプレートブラケット４４の下端よりも下方に位置するように延びている。また、突出部５０は、フェンダー本体４９の下側から後方斜め下向きに突出して形成されている。また、リヤフェンダー４８の下端は、後輪６の中心よりも下方に位置するまで延びている。
【００２８】
図５及び図６に、リヤフェンダー４８を取り出して示している。図５はリヤフェンダー４８の一方側（車両の後方から前方に向かって左側）の側面を示し、図６はリヤフェンダー４８の他方側（車両の後方から前方に向かって右側）の側面を示している。
【００２９】
図５に示すように、リヤフェンダー４８のフェンダー本体４９の一方側の側面には、前端部から後端部にかけて放射面４９ａが形成されている。この一方側放射面４９ａには、切欠き４９ｂが形成されており、この切欠き４９ｂはほぼ三角形状に形成されている。すなわち、切欠き４９ｂは放射面４９ａの前端部から急な角度で後ろ斜め上方に切りあがり、前端部と前後方向の中央部との中間付近で頂点になり、その頂点から後端部に向かって斜め下方に傾斜している。このため、一方側の放射面４９ａでは、ほぼ中央部から後端部にかけて泥除け用の平坦部が形成されている。
【００３０】
また、図６に示すように、リヤフェンダー４８のフェンダー本体４９の他方側の側面には、前端部から後端部にかけて放射面４９ｃが形成されている。この他方側放射面４９ｃには、前端部から前後方向の中央部にかけて開口４９ｄが形成されている。また、放射面４９ｃの開口４９ｄが形成されていない部分には、３本の直線状のリブ４９ｅが形成されている。各リブ４９ｅは、前方側から後方側に向かって斜め上方に傾斜するように配置され、互いに平行に形成されている。
【００３１】
ここで、放射面４９ａ，４９ｃは、泥除けの観点からすると、フェンダー本体４９の前端部から後端部にかけて全側面に設けられている方が好ましい。しかし、放射面４９ａ，４９ｃの面積を大きくすると、外観的に重量感が増すとともに実質上の重量も増し、さらには平面部の拡大によって強度が低下することになる。そして、この強度低下によって放射面４９ａ，４９ｃが振動し、音が発生することになる。
【００３２】
そこで、本実施形態のリヤフェンダー４８では、放射面４９ａ，４９ｃの平面部に、切欠き４９ｂや開口４９ｄを形成して、放射面４９ａ，４９ｃの面積を小さくするとともに、リブ４９ｅを形成し、剛性の向上を図っている。このため、外観上の重量感及び実質上の重量が増すのを抑え、しかも音の発生を防止している。
【００３３】
なお、図５及び図６に示すように、フェンダー本体４９の中央部から後端部にかけては放射面４９ａ，４９ｃの平坦部が確保されているので、この部分によって効果的に泥除け機能を発揮することが可能である。
【００３４】
このような本実施形態では、左右のサイドカバー３２ａ，３２ｂの下縁が前方から後方にかけて高くなるように後上がりに形成されており、しかも収納ボックス３５は側面視でサイドカバー３２に隠れるように配置され、サイドカバー３２とリヤフェンダー４８との間に空間が形成されている。このため、外観的に車両後部に重量感がないだけでなく、実質的にコンパクトになっている。さらに、ライセンスプレートブラケット４４は、その下端がライセンスプレート４２の下端よりも上方に位置する程度に上下方向の長さが短くなっており、車両後部においてさらにコンパクト感を与えることができる。
【００３５】
また、本実施形態の車両はユニットスイング式のエンジンユニット２を有しているが、ライセンスプレートブラケット４４の上下方向の長さが従来に比較して短く形成されているので、リヤフェンダー４８とライセンスプレートブラケット４４とが干渉するおそれが少ない。このため、ライセンスプレートブラケット４４を比較的前方に配置することができ、車両の後部をよりコンパクトにすることが可能になる。
【００３６】
一方で、リヤフェンダー４８は、後端が、ライセンスプレートブラケット４４の下端よりも下方に位置する程度にまで延びて後輪６を覆っている。より詳しくは、リヤフェンダー４８の後部下端は、後輪６の中心よりも下方に延びている。このため、ライセンスプレートブラケット４４が上下方向に短いにもかかわらず、リヤフェンダー４８によって泥除け性能は向上している。より詳細には、後輪６に付着した泥等は、後輪６の回転によってそのまま上方に巻き上げられるが、リヤフェンダー４８の下端が後輪の中心よりさらに下方にまで延びて設けられているので、巻き上げられた泥等がシート後方にまで跳ね上がるのを効果的に抑えることができる。また、リヤフェンダー４８内に巻き上げられた泥等は、リヤフェンダー４８の後部側面に設けられた放射面４９ａ，４９ｃの平坦部によって側方に飛散するのが抑えられる。このため、後輪６の側方からシート側方にまで跳ね上がる泥等を抑えることができる。
【００３７】
＜特徴＞
以上の本実施形態の特徴をまとめると、以下の通りである。
【００３８】
(a)  左右のサイドカバー３２ａ，３２ｂの下縁３２０ａ，３２０ｂが車両前方より後方が高くなるように後上がりに形成されているので、車両後部に重量感が少なく、外観的にコンパクト感を与えている。
【００３９】
(b)  収納ボックス３５が、側面視で下面がサイドカバー３２ａ，３２ｂよりも上方に配置されているので、車両後部が実質的にコンパクトになっている。
【００４０】
(c)  リヤフェンダー４８によって、後輪６からの泥等のはね上げがライダーの背中にかかるのを有効に抑えることができるため、ライセンスプレートブラケット４４を従来に比較して小さくすることができる。
【００４１】
(d)  車両後部を外観的にかつ実質的にコンパクト化した上で、さらにライセンスプレートブラケット４４を小型化しているので、これらの構成が相互に関連しあって車両全体としてよりいっそうの小型化が実現されている。
【００４２】
(e)  ライセンスプレートブラケット４４は、車両上下方向の長さが車両前後方向の長さよりも短いので、ライセンスプレートブラケット４４の車両への取付強度を確保しつつコンパクトにすることができる。
【００４３】
(f)  ライセンスプレートがライセンスプレートブラケット４４に固定されたときに、ライセンスプレートブラケット４４の後部の下端がライセンスプレートの下端よりも上方に位置するので、ライセンスプレートブラケット４４が小型化されており、ひいては車両後部をコンパクト化することができる。
【００４４】
(g)  リヤフェンダー４８の下端が後輪６の中心よりも下方に位置しているので、後輪６からの泥等の巻き上げ、跳ね上げを抑えることができる。
【００４５】
(h)  リヤフェンダー４８の後部には、フェンダー本体４８ａの下側から後方斜め下向きに突出した下片部４８ｂが設けられているので、泥等の跳ね上げをさらに有効に抑えることができる。
【００４６】
(i)  収納ボックス３５を、側面視でサイドカバー３２ａ，３２ｂの下端より上方に配置しつつ、上下方向の幅を確保することができ、後部のコンパクト化を図るとともに収容量を確保することができる。
【００４７】
(j)  収納ボックス３５の後方にテールライトユニット４０が配置されているので、より幅をせまくできる位置にテールライトユニット４０を配置することができ、テールライトユニット４０の幅の小型化が可能となる。したがってテールライトユニット４０と連続するライセンスプレートブラケット４４の幅もコンパクト化が可能となり、車両後部のコンパクト化が可能となる。
【００４８】
(k)  ライセンスプレートブラケット４４の縦壁部４４ａの上下方向の幅は、フラッシャーライト４５ａ，４５ｂの上下方向の幅より小さいので、車両の後部のコンパクト化が可能となる。
【００４９】
［他の実施形態］
リヤフェンダー４８における放射面の形状、構造は、前記実施形態に限定されるものではなく、種々の形状が採用可能である。
【００５０】
車体フレームの構成は種々の変形が可能である。すなわち、ヘッドパイプ、前部フレーム、後部フレームが別体で接続されていてもよいし、一部または全部が一体で形成されていてもよい。
【００５１】
また、サイドカバーは前記実施形態の構造に限定されるものではない。例えば、左右のサイドカバーのそれぞれが分割された複数のカバー部材で構成されていても良い。
【符号の説明】
【００５２】
１  車体フレーム
２  エンジンユニット
３  シート
１６  エンジン
１７  ベルト式無段変速機（変速機ユニット）
３２ａ，３２ｂ  サイドカバー
３５  収納ボックス
４０  テールライトユニット
４２  ライセンスプレート
４４  ライセンスプレートブラケット
４５ａ，４５ｂ  フラッシャーライト
４８  リヤフェンダー
４９  フェンダー本体
５０  下片部
【図１】
2010215216.tif 000003
【図２】
2010215216.tif 000004
【図３】
2010215216.tif 000005
【図４】
2010215216.tif 000006
【図５】
2010215216.tif 000007
【図６】
2010215216.tif 000008